(57)【要約】排卵を１日前乃至５日前に予測するため、１種以上のイオン類の濃度または濃度変化を１日中調べ、予め定めたパターンに対して解析する。これによって、使用者はより正確に受胎相の開始を決定でき、この相は、ヒト婦人の場合、一般的に、排卵約４日前から排卵１日後と考えられている。測定したイオン類の濃度には、ナトリウム（Ｎａ＋）、カリウム（Ｋ＋）、アンモニウム（ＮＨ４＋）、カルシウム（Ｃａ２＋）、塩素（Ｃｌ−）および硝酸（ＮＯ３−）が含まれる。さらに読み取り値の正確性を高めるため、１日中多数の読み取り値を得て、統計的に解析し、経時的変化を調べる。さらに、２種以上のイオン類の濃度を得、正確性を高める。２種以上のイオン類の比率測定値を求めて、正確性を高めかつ皮膚上でのイオン集積についても考慮する。アンモニウム（ＮＨ４＋）とカルシウム（Ｃａ２＋）の比率測定値が、これらの２つのイオン類濃度が排卵前の関連期間中反対方向に変化するので、より明確なパターンを示すことがわかった。
2004535894.tif 000002
【特許請求の範囲】
【請求項１】
ヒト婦人の受胎相を決定するための装置で、
（ａ）前記婦人のエクリン汗中少なくとも２種のイオン類の濃度を検出しエクリン汗中前記少なくとも２種のイオン類の濃度を示唆する出力信号を出すセンサー；
（ｂ）エクリン汗中前記少なくとも２種のイオン類の濃度を実質的に同時にかつ少なくとも毎日検出するように前記センサーを制御するためのプロセッサーを含み；
前記プロセッサーは、センサーからの出力信号をモニタリングして、ヒト婦人が受胎相にあることを示唆する転回に続く前記少なくとも２種のイオン類の１つの濃度の明確な変化を識別するヒト婦人の受胎相を決定するための装置。
【請求項２】
エクリン汗中で検出された前記少なくとも２種のイオン類が、エクリン汗のナトリウム（Ｎａ＋）、カリウム（Ｋ＋）、アンモニウム（ＮＨ４＋）、カルシウム（Ｃａ２＋）、塩素（Ｃｌ−）および硝酸（ＮＯ３−）から構成される群から選択される請求項１記載のヒト婦人の受胎相を決定するための装置。
【請求項３】
前記少なくとも２種のイオン類が第１および第２イオンを含み；
前記プロセッサーが前記第２イオンに対する前記第１イオンの比率をモニタリングし、ヒト婦人が受胎相にあることを示唆する転回に続く前記少なくとも２種のイオン類の濃度の明確な変化を識別する請求項１記載のヒト婦人の受胎相を決定するための装置。
【請求項４】
前記第１イオンが、カリウム（Ｋ＋）、硝酸（ＮＯ３−）、アンモニウム（ＮＨ４＋）およびカルシウム（Ｃａ２＋）から構成される群から選択され、第２イオンが、ナトリウム（Ｎａ＋）および塩素（Ｃｌ−）から構成される群から選択される請求項３記載のヒト婦人の受胎相を決定するための装置。
【請求項５】
前記第１イオンが、カリウム（Ｋ＋）、硝酸（ＮＯ３−）、およびアンモニウム（ＮＨ４＋）から構成される群から選択され、第２イオンが、カルシウム（Ｃａ２＋）から構成される群から選択される請求項３記載のヒト婦人の受胎相を決定するための装置。
【請求項６】
前記第１イオンがアンモニウム（ＮＨ４＋）であり、前記第２イオンがカルシウム（Ｃａ２＋）である請求項３記載のヒト婦人の受胎相を決定するための装置。
【請求項７】
前記の少なくとも２種のイオン類がナトリウム（Ｎａ＋）および塩素（Ｃｌ−）から構成される群から選択された第３のイオンを含み；かつ
前記プロセッサーが前記第３イオンに対する前記第１イオン濃度の第１予備的比率と前記第３イオンに対する前記第２イオン濃度の第２予備的比率をモニタリングし、さらに、その後前記プロセッサーが前記第２予備的比率に対する前記第１予備的比率をモニタリングし、受胎相の開始を示唆する転回に続く前記少なくとも２種のイオン類の濃度の明確な変化を識別する請求項５記載のヒト婦人の受胎相を決定するための装置。
【請求項８】
前記装置がさらに、ヒト婦人が受胎相にあることを示唆する特徴を表示するためのディスプレイを含む請求項３記載のヒト婦人の受胎相を決定するための装置。
【請求項９】
さらに、前記センサーが１日あたり少なくとも６時間婦人の皮膚に接触するように前記婦人対象者に前記装置を結びつけるためのファースナーを含み；かつ
前記プロセッサーは前記センサーを制御して、１日あたり８回から１８回前記２種のイオン類濃度を検出させ、前記濃度の１日あたり平均をモニタリングする請求項３記載のヒト婦人の受胎相を決定するための装置。
【請求項１０】
排卵の前記妊娠状態が起こることを前記転回後６日以内に予測する請求項３記載のヒト婦人の受胎相を決定するための装置。
【請求項１１】
雌性哺乳類の妊娠状況を決定するための装置で、
（ａ）前記雌性哺乳類のエクリン汗中カリウム（Ｋ＋）、アンモニウム（ＮＨ４＋）、カルシウム（Ｃａ２＋）、塩素（Ｃｌ−）、硝酸（ＮＯ３−）およびナトリウム（Ｎａ＋）から構成される群から選択された少なくとも１種のイオンを検出しエクリン汗中イオン類濃度を示唆する出力信号を出すための検出手段；
（ｂ）少なくとも毎日エクリン汗中少なくとも１種のイオンを検出するように前記検出手段を制御するためのプロセッサーを含み；かつ
前記プロセッサーは、保存手段に保存された出力信号をモニタリングして、前記雌性哺乳類が受胎相にあることを示唆する転回に続く前記イオン類の１種の濃度の明確な変化を識別する雌性哺乳類の妊娠状況を決定するための装置。
【請求項１２】
前記雌性哺乳類がヒト婦人であり前記明確な変化が前記転回に続く少なくとも４０％の変化である請求項１１記載の雌性哺乳類の妊娠状況を決定するための装置。
【請求項１３】
前記装置がさらに、前記雌性哺乳類が受胎相にあることを示唆するためのディスプレイ手段を含む請求項１１記載の雌性哺乳類の妊娠状況を決定するための装置。
【請求項１４】
前記検出手段がソリッドステートセンサーを用いる請求項１１記載の雌性哺乳類の妊娠状況を決定するための装置。
【請求項１５】
前記雌性哺乳類がヒト婦人であり、前記プロセッサーが、１日あたり少なくとも６回少なくとも１種のイオンの濃度を前記検出手段に検出させかつ前記少なくとも６個の読み取り値を統計的に解析して、１日について濃度平均を示し；かつ
前記プロセッサーは、前記イオン類のひとつの濃度の平均をモニタリングして、ヒト婦人が受胎相にあることを示唆する転回に続く前記イオン類のひとつの濃度の明確な変化を識別する請求項１１記載の雌性哺乳類の妊娠状況を決定するための装置。
【請求項１６】
さらに前記雌性哺乳類のこれまでの生殖サイクルに関する情報を保存するための保存手段を含み；かつ
前記プロセッサーはこの情報を利用して生殖サイクル予想期間を予測し、かつ、月経直後における前記雌性哺乳類の生殖サイクルの初期部分について得られた出力信号を無視する請求項１６記載の雌性哺乳類の妊娠状況を決定するための装置。
【請求項１７】
前記無視する初期部分が、推定生殖サイクル終点から１９日以前の期間である請求項１６記載の雌性哺乳類の妊娠状況を決定するための装置。
【請求項１８】
前記少なくとも２種のイオン類が第１および第２イオンを含み；
前記プロセッサーが前記第２イオンに対する前記第１イオン濃度の比率をモニタリングし、ヒト婦人が受胎相にあることを示唆する転回に続く前記少なくとも２種のイオン類のひとつの濃度の明確な変化を識別する請求項１７記載の雌性哺乳類の妊娠状況を決定するための装置。
【請求項１９】
前記第１イオンが、カリウム（Ｋ＋）、硝酸（ＮＯ３−）、アンモニウム（ＮＨ４＋）およびカルシウム（Ｃａ２＋）から構成される群から選択され、第２イオンが、ナトリウム（Ｎａ＋）および塩素（Ｃｌ−）から構成される群から選択される請求項１８記載の雌性哺乳類の妊娠状況を決定するための装置。
【請求項２０】
前記雌性哺乳類がヒト婦人でありかつ排卵が転回に続き６日以内に起こることを確認する請求項１１記載の雌性哺乳類の妊娠状況を決定するための装置。
【請求項２１】
前記センサーがエクリン汗の伝導度を検出するための伝導度センサーを含み；
前記センサーがエクリン汗の伝導度を検出することによって前記少なくとも２種のイオン類の濃度を検出し；かつ
前記プロセッサーは、エクリン汗の伝導度を示唆するセンサーからの出力信号をモニタリングして、ヒト婦人が受胎相にあることを示唆する転回に続く前記少なくとも２種のイオン類のひとつの濃度の明確な変化を識別する請求項１記載のヒト婦人の受胎相を決定するための装置。
【請求項２２】
転回に続く前記少なくとも２種のイオン類のひとつの明確な濃度変化を識別するため、前記プロセッサーが前記出力信号をモニタリングして、前記少なくとも２種のイオン類のひとつの濃度が急激に２５％増加し次に４０％低下していることを識別する請求項２記載のヒト婦人の受胎相を決定するための装置。
【請求項２３】
ヒト婦人の受胎相を決定するための方法で、
（ａ）前記婦人のエクリン汗中少なくとも２種のイオン類の濃度を実質的に同時にかつ少なくとも毎日検出すること；
（ｂ）前記エクリン汗中前記少なくとも２種のイオン類の濃度を示唆する出力信号を出すこと；
（ｃ）前記出力信号をモニタリングして、ヒト婦人が受胎相にあることを示唆する転回に続く前記少なくとも２種のイオン類のひとつの濃度の明確な変化を識別することを含むヒト婦人の受胎相を決定するための方法。
【請求項２４】
（ａ）および（ｂ）の段階がさらに、
（ｉ）エクリン汗の伝導度を検出することによって前記少なくとも２種のイオン類の濃度を検出すること；および
（ｉｉ）前記エクリン汗の伝導度を示唆する出力信号を出すことによって、前記エクリン汗中前記少なくとも２種のイオン類の濃度を示唆する出力信号を出すことを含む請求項２３記載のヒト婦人の受胎相を決定するための方法。
【請求項２５】
前記段階（ｃ）がさらに、
（ｉ）前記出力信号をモニタリングして、ヒト婦人が受胎相にあることを示唆する前記少なくとも２種のイオン類のひとつの濃度の急激な２５％増加と次の４０％低下を識別することを含む請求項２３記載のヒト婦人の受胎相を決定するための方法。
【請求項２６】
前記エクリン汗中検出された前記少なくとも２種のイオン類が、エクリン汗ｐＨのナトリウム（Ｎａ＋）、カリウム（Ｋ＋）、アンモニウム（ＮＨ４＋）、カルシウム（Ｃａ２＋）、塩素（Ｃｌ−）および硝酸（ＮＯ３−）から構成される群から選択される請求項２３記載のヒト婦人の受胎相を決定するための方法。
【請求項２７】
前記少なくとも２種のイオン類が第１および第２イオンを含み；
前記段階（ｃ）が
（ｉ）前記第２イオンに対する前記第１イオン濃度の比率をモニタリングし、ヒト婦人が受胎相にあることを示唆する転回に続く前記少なくとも２種のイオン類のひとつの濃度の明確な変化を識別する請求項２３記載のヒト婦人の受胎相を決定するための方法。
【請求項２８】
前記第１イオンが、カリウム（Ｋ＋）、硝酸（ＮＯ３−）、アンモニウム（ＮＨ４＋）およびカルシウム（Ｃａ２＋）から構成される群から選択され、第２イオンがナトリウム（Ｎａ＋）および塩素（Ｃｌ−）から構成される群から選択される請求項２７記載のヒト婦人の受胎相を決定するための方法。
【請求項２９】
前記第１イオンが、硝酸（ＮＯ３−）およびアンモニウム（ＮＨ４＋）から構成される群から選択され、第２イオンが、カルシウム（Ｃａ２＋）から構成される群から選択される請求項２７記載のヒト婦人の受胎相を決定するための方法。
【請求項３０】
さらに、
エクリン汗中前記少なくとも２種のイオン類の濃度をほぼ同時に及び少なくとも１日６回、検出すること；
エクリン汗中前記少なくとも２種のイオン類の濃度を示唆する出力信号を出すこと；
前記出力信号を処理し、前記少なくとも２種のイオン類の１日平均を示すこと；
前記出力信号の１日平均をモニタリングして、ヒト婦人が受胎相にあることを示唆する転回に続く前記少なくとも２種のイオン類のひとつの濃度の明確な変化を識別する請求項２３記載のヒト婦人の受胎相を決定するための方法。
【請求項３１】
さらに、
前記雌性のこれまでの生殖サイクルに関する情報を保存すること；
前記雌性のこれまでの生殖サイクルに関する保存情報に基づき、予想生殖サイクルの期間を予測しかつ予想生殖サイクル期間の推定終点１９日前以前の期間の出力信号を無視することを含む請求項２３記載のヒト婦人の受胎相を決定するための方法。
【発明の詳細な説明】
【技術分野】
【０００１】
本発明の方法は、婦人の受胎状況を決定するための方法および装置に関する。さらに詳細には、本発明は、排卵を予測しそれによって雌性哺乳類、および好適にはヒト婦人の生殖サイクル中非受胎相から受胎相を決定するための方法および装置に関する。
【背景技術】
【０００２】
哺乳類における受胎相は、子宮に存在する精子が卵子に遭遇し受胎する間の期間として定義できる。一般にヒト婦人においては平均生殖サイクルが２８日となっており、そのうち放出された卵子はおよそ１２乃至２４時間しか生存していない。しかし、子宮は最大４日間精子を保存できる。したがって、受胎相は、排卵４日前から始まり排卵１日後まで継続する。しかし、卵子が放出される排卵後の時間的期間は、実質的に狭い。
【０００３】
多くの先行技術装置が、排卵がいつ起こったかを調べるために提案されてきた。しかし、これらの先行技術装置類および方法類は、排卵がいつ起こったかを単に調べることによってヒト婦人における受胎相の一部を単に決定しているに過ぎない。前もって少なくとも４日前に排卵を予測することによって利益を得ることができることが明らかであり、これには、婦人の全受胎相が含まれるであろう。このようにして、妊娠を計画できる。
【０００４】
２−３の排卵決定方法が過去において提案されてきた。ヒト婦人において、生殖可能卵を最終的に放出するであろう卵胞の成熟は、下垂体前葉が分泌する卵胞刺激ホルモン（ＦＳＨ）および黄体ホルモン（ＬＨ）の作用によって行われる。月経周期排卵相の前、排卵２４時間乃至４８時間前に血清中総エストロゲン類が有意に増加し、それが子宮を着床可能とする。エストロゲン類増加に続き血清中黄体化ホルモン（ＬＨ）の急激増加が起こり、それは、排卵前１２乃至２４時間にピークに達する。他の多くの生理的条件もまた、排卵時点近辺で変化する。たとえば、基礎体温（ＢＢＴ）が最小になり、その後排卵時点近辺で急激に上昇する。子宮頸管粘液はエストロゲン上昇により刺激され粘度変化を受け、卵子に精子が向かうのを助けることができる。
【０００５】
２−３の受胎検出器が開発されており、それらは、これらの種々のホルモン類またはそれらの間接的生理効果を測定する。上記に述べたＢＢＴ法では、一般的に、ヒト婦人がその膣温度を測りその値を毎朝洗浄前に記録することが必要となる。この方法はかなりの努力を要すること以外に、排卵１日乃至２日以内でのみ正確であるだけで、事前に知らせることが全くできない。頸管粘液測定値類は、多少なりとも有用であると見なされてきた。婦人は、その頸管粘液が排卵直前にさらさらに薄くなることをチェックし、それにより指間でそのまま取り出すことができるようになりスピンバーカイト反応と称されている。別の方法では、顕微鏡で頸管粘液を調べ排卵が今にも起こりそうであることを示唆する“シダ状結晶形成”反応を探すことが必要になる。さらに別の方法ではインピーダンスプローブ類を用いて膣粘液伝導度を測定するが、それは、米国特許４，７７０，１８６に開示されているように粘液変化をより定量的に推定できるようにする。Ｓｕｎｄｈａｒの米国特許５，２０９，２３８は排卵モニターを開示しており、それは、粘液密度、基礎体温およびｐＨ値および膣中に分泌されたＬＨ値を検出することによって、生存卵の存在を決定する。
【０００６】
しかし、これらの先行技術方法類は、排卵を予知する手段を提供するのではなく排卵を決定しそれによって大部分の受胎相を見逃してしまうという欠点を有している。また、頸管粘液検査には主観的エラーが伴いまた根気よく続けることが必要になり、さらに、排卵の事前予知についてはほとんど何も与えない。
【０００７】
Ｍａｒｅｔｔの米国特許５，６８５，３１９は、婦人エクリン汗中有意なｐＨ最小値が排卵約５乃至６日前に出現することを見出したことを開示している。このようにしてエクリン汗のｐＨを追跡することで排卵を予測し、それによってヒト婦人の受胎状況を決定する。さらに、ｐＨ追跡の利点は、水素イオン類Ｈ+が水酸基イオン（ＯＨ）と反応して水を形成する点において、それが本質的に緩衝されることである。さらに、これまでの研究では皮膚酸性を説明する満足できるメカニズムがないにもかかわらず、婦人のエクリン汗も同様に通常、乳酸／乳酸系、遊離アミノ酸分泌またはＣＯ2重炭酸によって緩衝されていることを見出している。緩衝化ｐＨを有することの利点は、蒸発または身体活動亢進によってのようにエクリン汗の量が変化してもｐＨに大きな影響が及ぼさずそれによって偽読み取り値を避けられるという点にある。
【０００８】
また、２−３の研究者らは、エクリン汗における他のイオン類の変化を調べた。たとえば、ＬｉｅｂｅｒｍａｎおよびＴａｙｌｏｒは、ヒト婦人のエクリン汗中で塩素（Ｃｌ−）、ナトリウム（Ｎａ＋）およびカリウム（Ｋ＋）に注目した（Ｌｉｅｂｅｒｍａｎら、ＪＡＭＡ、１９９６年２月２１日、１９５巻、８号、１１７−１２３ページおよびＴａｙｌｏｒら、Ｊｏｕｒｎａｌ  ｏｆ  Ｉｎｖｅｓｔｉｇａｔｉｖｅ  Ｄｅｒｍａｔｏｌｏｇｙ，５３巻、３号、２３４−２３７ページ、１９６９）。しかし、ＬｉｂｅｒｍａｎもＴａｙｌｏｒのいずれも、排卵前に排卵を予測する目的でこれらイオン類濃度の変化を調べなかった。
【０００９】
先行技術の多くにある欠点のひとつは、少なくとも３乃至６日前に排卵を予測できないことである。このために、先行技術の方法類および装置類は、婦人の全受胎相を決定することができない。
さらに、先行技術は、ｐＨ測定以外に、ヒト婦人のエクリン汗の他のどの特性を排卵予測に使用できるかを検討していない。先行技術は、ｐＨ以外にイオン類濃度変化のようなエクリン汗の特定測定値を得るための信頼できかつ揺るぎのない方法および装置を付与してこなかった。さらに、先行技術は、エクリン汗におけるイオン類濃度の変化を測定できる方法や装置を付与してこなかったが、それらの変化はｐＨのように自然に緩衝されておらず、従って身体活動、大気温または蒸発の亢進によりエクリン汗容量のような他の因子類により変化することもある。
【発明の開示】
【発明が解決しようとする課題】
【００１０】
したがって、当該技術において、雌性哺乳類および好適にはヒト婦人の受胎相の大部分を決定するために３日乃至６日前に排卵を高い信頼性でかつ経済的に予測できる方法と装置に対する需要がある。また、簡単に使用でき、信頼性が高くかつ高価でない排卵を予測するための方法と装置に対する需要がある。
【課題を解決するための手段】
【００１１】
したがって、少なくとも部分的には先行技術の欠点のいくつかを克服することが本発明の目的である。また、雌性哺乳類好適にはヒト婦人においておよそ１日乃至６日前に排卵を予測することを補助するための改良方法と装置で、信頼性が高くかつ経済的に実行可能な方法と装置を付与することが本発明の目的である。
【００１２】
したがって、本発明の様相のひとつにおいて、本発明は、ヒト婦人の受胎相を決定するための装置に関し、前記装置は、（ａ）前記婦人のエクリン汗中少なくとも２種のイオン類の濃度を検出し前記エクリン汗中少なくとも２種のイオン類の濃度を示唆する出力信号を出すセンサー；（ｂ）実質的に同時にかつ少なくとも毎日エクリン汗中少なくとも２種のイオン類の濃度を検出するように前記センサーを制御するためのプロセッサーを含み、かつ前記プロセッサーは、センサーからの出力信号をモニターし、ヒト婦人が受胎相にあることを示唆する転回に続く前記少なくとも２種のイオン類のひとつの濃度の顕著な変化を識別する。
【００１３】
さらに、本発明は、雌性哺乳類の受胎状況を決定するための装置に関し、前記装置は、（ａ）雌性哺乳類のエクリン汗中カリウム（Ｋ＋）、アンモニウム（ＮＨ４＋）、カルシウム（Ｃａ２＋）、塩素（Ｃｌ−）、硝酸（ＮＯ３）およびナトリウム（Ｎａ＋）から構成される群から選択された少なくとも１種のイオンを検出し前記エクリン汗中イオン類の濃度を示唆する出力信号を出す検出手段；（ｂ）少なくとも毎日エクリン汗中少なくとも１種のイオンを検出する検出手段を制御するためのプロセッサー手段を含み、かつ前記プロセッサー手段は、前記保存手段に保存された出力信号をモニターし、雌性哺乳類が受胎相であることを示唆する転回に続く前記イオン類のひとつの濃度の顕著な変化を識別する。
【発明の効果】
【００１４】
本発明のひとつの利点は、エクリン汗中いくつかの異なる種類のイオン類濃度変化を検出分析し雌性哺乳類における排卵を予測できることである。これらのイオン類には、ナトリウム（Ｎａ＋）、カリウム（Ｋ＋）、アンモニウム（ＮＨ４＋）、カルシウム（Ｃａ２＋）および硝酸（ＮＯ３−）が含まれる。このようにして異なるタイプのセンサー類を選択し、ナトリウム（Ｎａ＋）、塩素（Ｃｌ−）、アンモニウム（ＮＨ４＋）、カリウム（Ｋ＋）、カルシウム（Ｃａ２＋）および硝酸（ＮＯ３−）のような対応するイオン類を検出できる。さらに、エクリン汗の伝導度を検出しそれによって間接的に前記イオン類全ての総濃度を測定できるセンサー類も使用できる。これによって、どのセンサーが特定の状況に対して最も信頼性が高いかに関して、選択できるようになる。
たとえば、エクリン汗を出す量が多い温暖な気候においてよりも使用者がエクリン汗を出す量が少ない冷涼な気候において、異なる種類のイオンおよび異なる種類のセンサーを使用者が使用できるであろう。同様に、獣医用途においては、受胎状況を検出する特定状況と哺乳類に応じて、異なるイオン類を検出する異なるセンサー類を用いることができるであろう。さらに、これによって、コストや利用可能性といった信頼性以外の特性に基づき、センサーを選択できるようになる。
【００１５】
さらに本発明の利点は、エクリン汗中の１種を越えるイオン類濃度の変化を測定できるようになることである。このようにして、２種以上の濃度変化をモニタリングして、排卵をより正確に予測しかつエクリン汗容量、食事やストレスのような非ホルモン性効果による偽読み取り値を避けるため、確認のための読み取り値を提供できる。
【００１６】
さらに、エクリン汗中１種を越えるイオン濃度変化を測定することの利点は、比率測定値を得ることができる点にある。たとえば、エクリン汗においてナトリウム（Ｎａ＋）および塩素（Ｃｌ−）イオン類が主要イオン類であり汗生産速度を示すために使用できるということが見い出されている。ナトリウム（Ｎａ＋）または塩素（Ｃｌ−）を参考イオンとして用いることによって、ナトリウム（Ｎａ＋）および塩素（Ｃｌ−）に関連させて他のイオン類の濃度変化を評価できる。ナトリウム（Ｎａ＋）に対する塩素（Ｃｌ−）の比率は特に一定であり、それは、塩素（Ｃｌ−）がナトリウム（Ｎａ＋）に対する主な対イオンであることから予測される。塩素（Ｃｌ−）およびナトリウム（Ｎａ＋）イオン類の濃度はそれぞれ別々に排卵予測のために測定できる一方、これらのイオン類をまた、蒸発、大気温上昇、身体活動亢進、または経時的皮膚イオン集積によってのようなエクリン汗容量の変化によるカリウム（Ｋ＋）、アンモニウム（ＮＨ４＋）、カルシウム（Ｃａ２＋）および硝酸（ＮＯ３−）のような他のイオン類濃度変化を説明するために、使用することもできる。ナトリウム（Ｎａ＋）および塩素（Ｃｌ−）が排卵前に急激に大量に出現する一方、それらは硝酸（ＮＯ３−）、カルシウム（Ｃａ２＋）およびアンモニウム（ＮＨ４＋）のような他のイオン類ほどには大量に急激に出現しないので、このことがいえる。したがって、カリウム（Ｋ＋）、アンモニウム（ＮＨ４＋）、カルシウム（Ｃａ２＋）または硝酸（ＮＯ３−）のようなイオン類のひとつをナトリウム（Ｎａ＋）および／または塩素（Ｃｌ−）に対して比率測定を行うことによって、より安定したイオン類測定値が得られ、１日のエクリン汗容量変化と皮膚イオン集積変化による濃度変化をある程度は説明できる。このようにして、より正確な測定が行うことができる。
【００１７】
さらに本発明の利点は、前記イオン類のいくつかが対抗効果を有していることが見出されたことが挙げられる。たとえば、カルシウム（Ｃａ２＋）濃度が問題の先行排卵期間において反対方向に変化することが見出されている。このようにして、アンモニウム（ＮＨ４＋）のような別のイオンに関してカルシウム（Ｃａ２＋）を比率測定することによって、より顕著な効果をモニターすることになるので、予測を改善できる。
【００１８】
前記予測をさらに改善するため、アンモニウム（ＮＨ４＋）、カルシウム（Ｃａ２＋）およびナトリウム（Ｎａ＋）または塩素（Ｃｌ−）の３種のイオン類を測定できる。その際、アンモニウム（ＮＨ４＋）およびナトリウム（Ｎａ＋）に関して、およびナトリウム（Ｎａ＋）およびカルシウム（Ｃａ２＋）に関して測定を行うことができ、温度および／または身体活動による皮膚集積またはエクリン汗中変化による前記イオン類全ての濃度変化を考慮できる。これら２種の比率測定値をその後比較し、カルシウム（Ｃａ２＋）に対してアンモニウム（ＮＨ４＋）の比率測定値を得るが、アンモニウム（ＮＨ４＋）とカルシウム（Ｃａ２＋）濃度は当初ナトリウム（Ｎａ＋）に関して測定されているので、前記変化の一部は、説明した他の効果による。
【００１９】
本発明のさらに利点は、前記方法が毎日１２時間のように長時間皮膚に接触する装置という手段によって実行される態様に関する。これによって、より優れた統計分析が行えるように１日にわたっていくつかの読み取り値が得られる。さらに、１日にわたっていくつかの読み取り値を得ることによって、偽読み取り値を識別し削除できる。さらに、前記装置は好適な態様において、皮膚上にない時を検出して、読み取りがこの時点で行われないようにする。これは、明らかに不正確な読み取りの数を減らし、同時に毎日の全読み取りに悪影響を与えないようにするが、その理由は、他の読み取り値の大半は、１日にわたって得られるであろうしそれを用いて信頼性の高い平均を得ることができるからである。すなわち、２４時間のようなある期間にわたって１０乃至４８個の多くの読み取り値を得てこれらの読み取り値を統計分析することによって、月経ホルモンに関係していないエクリン汗中変化を大方削除できる。
【００２０】
本発明のさらにもうひとつの利点は、これまでの生殖サイクルからの読み取り値を同一雌性について保存できることである。これらの保存読み取り値を用いて、生殖サイクルの早期部分に取った読み取り値を無視し排卵をよりよく予測できる。たとえばもし特定ヒト婦人が月経開始の４日以内に決して排卵しないことがわかっているならば、将来における排卵予測において月経後の生殖サイクルの最初における読み取り値にはあまり重きをおかないであろう。好適な態様において、生殖サイクルの期間を決定し、その後、ヒト婦人について排卵を生殖サイクルの後半１９日の間のいつかの時点に起こると推定する。これは、ヒトについて排卵から月経まで一般に１４日である黄体期間と一致する。したがって、婦人の受胎相決定目的のためには、推定月経開始から１９日以前の生殖サイクル部分には重きをおかないか無視する。
これ以上の本発明様相は、本発明を例示している下記の詳細な説明と図面ならびに本発明の好適な態様を読み取れば明らかであろう。
【発明を実施するための最良の形態】
【００２１】
本発明は、エクリン汗中変化をモニタリングすることによってヒト婦人のような雌性哺乳類における排卵を数日前に予測する方法と装置に関連する。排卵は、受胎相の大半を決定できるように精子が雌性哺乳類体内で生存できる時間の少なくとも約半分の時間的期間前に好適には予測される。本発明はこのようにして、婦人の実質的に全受胎相を決定できる信頼性の高い自己モニタリング用パーソナルユーズテストを提供する。それはまた、多くの診断または治療手段が排卵の正確な予測と検出に依存しているので、婦人の不妊治療において医師が使用することもできる。
【００２２】
エクリン汗は、エクリン汗腺によって皮膚表面に分泌されるさらさらした水様液体である。一般的に、手のひらのような厚い皮膚には多数のエクリン汗腺があるが、それらは薄い皮膚でも実質的数だけ見られる。
ヒトにおいて、エクリン汗分泌物は、ナトリウム（３０乃至１５０ｍｍｏｌ）、カリウム（１０乃至４０ｍｍｏｌ）および塩素（４０乃至１１０ｍｍｏｌ）を含有する数種の電解質すなわちイオン類を含む複雑な系である。それはまた、乳酸、尿素、グルコース、蛋白質、遊離アミノ酸類および脂質類のような非電解質成分類を含有している。
ナトリウム（Ｎａ＋）、カリウム（Ｋ＋）、硝酸（ＮＯ3−）、カルシウム（Ｃａ２＋）および塩素（Ｃｌ−）のようなエクリン汗中に存在するイオン類は、排卵に関連したパターンで放出されるようであることがわかった。各婦人によってエクリン汗中イオン類濃度が実際に変動するが、エクリン汗中イオン類濃度の変化パターンは生殖サイクル時に繰り返され、排卵予測を最大７０％乃至９０％の正確さで予測できることがわかった。
【００２３】
図１Ａ乃至１Ｃは、ヒト婦人の生殖サイクルにおいてエクリン汗中ナトリウム（Ｎａ＋）およびカリウム（Ｋ＋）イオン類濃度について毎日行った測定を示している。図１Ａ乃至１Ｃは、ナトリウム（Ｎａ＋）およびカリウム（Ｋ＋）イオン類濃度をミリボルトで示している。図１Ｄは、毎日測定したヒト婦人のエクリン汗中カリウム（Ｋ＋）イオン濃度をモルＭで示している。
図１Ａ乃至１Ｃは、また、エクリン汗の伝導度（Ｃｏｎｄ．）変化をマイクロシーメンス（μＳ）単位で示している。エクリン汗の伝導度が存在する総イオン数によって変化するであろうということがわかる。したがって、伝導度測定は、エクリン汗中総イオン数測定の間接的方法である。
図１Ａ乃至１Ｃおよび濃度変化を示す他の図面の横軸は、ヒト婦人の１生殖サイクルの日数を示している。便宜上、横軸の第０日は排卵日に対応し、これは、縦点線“Ｏｖ”によって示されている。排卵日“Ｏｖ”は、約２４時間以内に排卵を決定できる黄体化ホルモン（ＬＨ）の検出という従来法のひとつによって決定した。
図１Ａ乃至１Ｄについて値は丸によって示されており、１０乃至２０のような数値として終日測定したいくつかの読み取り値の１日平均を示している。これは正確さを期しそれらイオン類濃度の非ホルモン性変化の効果を減らすために行う。
図１Ｄは、ヒト婦人エクリン汗のカリウム（Ｋ＋）イオン濃度を毎日モルＭで測定したものを示したものであり、一方、図１Ａ乃至１Ｃは、これらのイオン類濃度をミリボルトで示したものである。これは、図１Ａ乃至１Ｃがミリボルトで示したイオンについてのセンサーからの電気信号値を示しており、一方図１Ｄは、濃度をモルＭに変換した値を示しているに過ぎない。しかし、図１Ａ乃至１Ｃ中の電位信号についての値がナトリウム（Ｎａ＋）およびカリウム（Ｋ＋）イオン類濃度を反映することがわかるであろうし、それらは、図１Ｄにおいて行ったようにモルＭに変換できる。さらに、排卵決定パターンが濃度変化に主に基づいており、従って、濃度の絶対値は濃度の経時変化ほど重要ではないことがわかる。濃度変化は、図１Ａ、１Ｂおよび１Ｃに示した電位信号と図１Ｄに示したモル値から決定できる。
【００２４】
図１Ａ乃至１Ｄに示したように、排卵約５日前にエクリン汗中においてナトリウム（Ｎａ＋）およびカリウム（Ｋ＋）の両イオン類の濃度が排卵およそ７日前における転回後顕著に変化する。同様に、図１Ａ，１Ｂおよび１Ｃに示したように、排卵前約７日における転回後、排卵約５日から７日前に伝導度が顕著に変化する。この転回時点が、図１Ａ乃至１Ｄの各図においてローマ数字Ｉによって示されている。
図１Ａ乃至１Ｄ中参考番号Ｉによって示された転回は、一般的に顕著な変化によって識別され、この場合には濃度低下であり、それは、通常、前日の前値を約４０％上回る範囲である。ミリボルト単位で示した図１Ａ乃至１Ｃについて、この転回に続く顕著な濃度変化は、通常、約１３ミリボルト低下によって示され、それは、前日値から濃度が約４０％低下したことに対応している。したがって、この顕著な変化は、転回日にまたはその近辺で起こるピークすなわち最大値から４０％低下することである。
図１Ａ乃至１Ｃに示したように、この転回はまた、ナトリウム（Ｎａ＋）およびカリウム（Ｋ＋）イオン濃度の約５ボルトの初期上昇によって識別され、それは、前記濃度の２５％増加に対応している。このようなナトリウム（Ｎａ＋）およびカリウム（Ｋ＋）イオン濃度の急激な約２５％増加の後４０％または１３ミリボルト低下することで、点Ｉにおける転回を描写するのに役立ち、それは、受胎相開始を示している。
図１Ｄはカリウム（Ｋ＋）イオンモル濃度を示しており、それは、約２５％の同様の増加とその後の４０％低下を示している。したがって、ミリボルト測定またはモル変換した場合またはいかなる他の単位に変換した場合でも、イオン濃度変化を用いて点Ｉにおける転回を図示できる。
【００２５】
本発明の方法および装置は、図１Ａ乃至１Ｃの場合、カリウム（Ｋ＋）およびナトリウム（Ｎａ＋）のイオン類濃度検出センサーからの出力信号と濃度の少なくとも２５％の急激上昇とその後の濃度約４０％低下をモニターする。これらのイオン類についてセンサー電位変化をミリボルトで示した図１Ａ乃至１Ｃについて、これは、１日平均にして３日乃至５日間に起こる５ミリボルト上昇と１３ミリボルト低下に対応している。前記イオン類濃度変化におけるこのパターンを識別することによって、ヒト婦人における受胎相開始を示す。
図１Ａ、１Ｂおよび１Ｃの分析はまた、エクリン汗中１種をこえるイオン類濃度変化を測定することの利点を図示している。排卵前第６日にカリウム（Ｋ＋）イオン濃度について最大値からの明らかな転回があるが、図１Ｂに示したように特に、ナトリウム（Ｎａ＋）イオン濃度についてそれほど目立った転回または最大はない。むしろ、ナトリウム（Ｎａ＋）イオン濃度は、転回または最大を経験した後で排卵前第５日において４０％という明らかな低下を示す。したがって、２種のイオン濃度をモニタリングすることによって、婦人が受胎相にあることを示唆する転回に続く前記少なくとも２種のイオン類のひとつの濃度の顕著な変化を明らかにすることによって、排卵のより正確な予測ができる。
【００２６】
図１Ａおよび１Ｂに示したように、ローマ数字Ｉによって示したように、この場合は最大となっている転回後、濃度はローマ数字ＩＩにおける最大すなわちピークに達し、それは、通常、排卵前約１日乃至２日である。この後、ローマ数字ＩＩＩによって示した最小値すなわち最小が続き、通常、これは、排卵前後１日に起こる。しかし、ヒト婦人のような雌性哺乳類における受胎相は排卵最大４日前までに始まるので、ローマ数字Ｉの最小の後約４０％変化することを用いて受胎相の開始を示唆するのが最善である。
ナトリウム（Ｎａ＋）またはカリウム（Ｋ＋）イオン類に関して、最大すなわちピークからの転回が上記に述べたようにローマ数字Ｉによって示した受胎相の開始時点で起こることがわかった。しかし、最大がイオン濃度変化方向における転回の特別なタイプであることがわかる。たとえば、カルシウム（Ｃａ２＋）のような他のイオン類は最大値よりはむしろ最小値に達することがわかっている。したがって、濃度の転回は最小であることも（最小）あるいは最大であることもあり（ピーク）、その後に通常約４０％である顕著な変化が続くことがわかる。
したがって、図１Ａ乃至１Ｄは、カリウム（Ｋ＋）およびナトリウム（Ｎａ＋）のようなイオン類濃度変化と前記全イオン類総濃度変化を伝導度（Ｃｏｎｄ．）変化として示したものも図示している。上記にも述べたように、エクリン汗中イオン類濃度のこうした変化を用いてヒト婦人のような雌性哺乳類が受胎相にあることを決定できる。さらに、この決定は、ヒト婦人の全受胎相から利点を得るために、排卵が実際に起こる数日前に行うことができる。
【００２７】
特に、図１Ａ乃至１Ｄは、この場合には点Ｉにおけるピークである転回後においてこの場合にはカリウム（Ｋ＋）及び／又はナトリウム（Ｎａ＋）のような前記少なくとも２種のイオン類のひとつの濃度の低下である明確な変化が、ヒト婦人が受胎相にあることを示唆することを例示している。さらに、伝導度測定によって、エクリン汗中総イオン濃度変化の全体的示唆を付与し、同様に変化することがわかった。さらに、少なくともナトリウム（Ｎａ＋）およびカリウム（Ｋ＋）について、明白な変化を伴う転回が、図１Ａ乃至１Ｃに示したように、約２５％の急激増加または約５ミリボルトの急激増加とその後の約４０％または約１３ミリボルトの低下によって識別できる。低下を伴うこうした急激増加が転回を明確にし、この場合、それは、ピークすなわち最大である。この転回とその後のこの場合には約４０％の低下である明白な変化を確認することで、ヒト婦人が受胎相にあることが示唆される。塩素、アンモニウム（ＮＨ４＋）、カルシウム（Ｃａ２＋）および硝酸（ＮＯ３−）のような他のイオン類も同様に挙動することが見出されたが、それについては、より十分に下記で説明する。
【００２８】
図２Ａ乃至２Ｃは、ヒト婦人数名の生殖サイクルについて１日あたりのエクリン汗中塩素（Ｃｌ−）イオン類の濃度変化を示している。図２Ａ乃至２Ｃに示したように、通常、約２５％の塩素（Ｃｌ−）濃度急激上昇の後、最大からの約４０％の低下が続き、それによって点Ｉにおける転回を明確にできる。塩素（Ｃｌ−）について最大であるこの転回は、図１Ａから１Ｃに示したナトリウム（Ｎａ＋）イオン読み取りと同様に排卵３乃至６日前の間に起こり、排卵を予測しそれによって受胎相の開始を予測するために用いることができる。したがって、転回に続く明確な変化を塩素（Ｃｌ−）イオンについてモニタリングすることもまた、約３日乃至６日前の時点で排卵を予測しそれによってヒト婦人の受胎相を決定するために用いることができる。
図２Ａ乃至２Ｃにおける横軸は、図１Ａ乃至１Dにおける横軸と同様で、それは、ヒト婦人の生殖サイクル日数を測定している。また、排卵は、第０日に起こると示されており、また、縦点線（Ｏｖ）によってマークされている。しかし、図２Ａおよび２ＢはＹ軸をミリボルト逆数として示していることに留意されたい。すなわち、ミリボルト値が小さくなるかよりマイナスになるに従って、グラフは増加するであろう。このことは、塩素イオン濃度が増加すると塩素（Ｃｌ−）電極の電位が対応して低下しすなわちマイナス値が大きくなるという塩素（Ｃｌ−）イオン類の陰性という事実を反映している。同様に、転回後起こるように塩素（Ｃｌ−）電位が低下すると、塩素（Ｃｌ−）電極の電位で示したように対応して増加しすなわち正の値が大きくなる。したがって、図２Ａおよび２Ｂは、塩素イオンからの出力をミリボルトで示すことによって塩素（Ｃｌ−）イオン濃度変化を示しており、さらに、参照しやすくするために、Ｙ軸は逆数で示し、図面上方に動くとよりマイナスになり、そのことによって、電位がマイナスになるに伴い塩素（Ｃｌ−）濃度が上昇することを反映するようにした。このことはまた、ナトリウム（Ｎａ＋）およびカリウム（Ｋ＋）電極についてミリボルト電位を示している図１Ａ乃至１Ｃにおける図との比較を助ける。図１Ａ乃至１Ｃにおいて、イオン類は正電荷のナトリウム（Ｎａ＋）およびカリウム（Ｋ＋）イオン類であるので、これらのイオン類濃度上昇は、電極においてより大きな正の値によって反映され、従って、これらの濃度上昇は、上方に述べるグラフによって示されている。
【００２９】
図２Ａについて次に述べるが、点Ｉにおいて約２５％を超える塩素（Ｃｌ−）イオン濃度の５ミリボルトを超える急激上昇の後に結果として転回が起こる。排卵前第６日において低下するが、約４０％というような明確な低下ではない。むしろ、第６日から第５日にかけて約４０％の大きな低下がある。したがって、約４０％の大きな変化の後マイナス第５日にヒト婦人が受胎相にあることが示唆されるであろう。すなわち、第６日における読み取りは、転回が起こったと結論するほどの明白な変化を示唆しなかった。
図２Ｂもまた、マイナス第５日における変換を示している。転回の前に少なくとも２５％あるいはこの場合には５ミリボルトを超える電圧増加があり、その後、少なくとも４０％あるいはこの場合には１３ミリボルトの低下という明白な変化が続く。排卵前第３日においても類似の転回があるが、はるかに低い濃度においてである。排卵前第３日におけるこの第２の転回は、排卵前第５日の時点でヒト婦人が受胎相にあるとの示唆が既に得られるであろうという理由から少なくとも、本発明では無視されるであろう。
【００３０】
図２Ａおよび２Ｂもまた参考数字ＩＩによってマークした部分を示しており、ここで、塩素（Ｃｌ−）イオン濃度は、図１Ａ乃至１Ｄに同様に示したように、最小又は、谷に到達することがわかる。この最小は、排卵２４乃至４８時間前の血清中総エストロゲン上昇に一致すると考えられている。本発明のひとつの利点はヒト婦人が受胎相にあることが転回Ｉにおいて決定されていることである一方、部分ＩＩを用いてヒト婦人が受胎相にあることを確認できるかまたはヒト婦人が現在排卵の受胎状況にあることを決定さえできる。このことはさらに、排卵“Ｏｖ”日近くの点ＩＩＩに示したさらなる上昇によって確認できる。このＩＩ部分を用いては一般的に受胎相を決定することはないが、その理由は、転回Ｉがはるかに早い時点で受胎相を決定できるからである。
【００３１】
図２Ｃは、塩素（Ｃｌ−）電極における電圧の変化をミリボルトで示すという手段によって塩素濃度を示している点で、図２Ａおよび２Ｂに類似している。同様に、図２Ｃは、排卵前第８日と第７日の間における塩素（Ｃｌ−）濃度の急激な増加すなわち上昇を示しており、その後、第７日と第５日の間における明白な変化が続き、排卵前第７日において点Ｉにおける転回を起こす原因となる。図２Ｃはまた、排卵１日前の塩素（Ｃｌ−）濃度低下を示しており、点ＩＩによってマークされている。最後に、図２Ｃは、図２Ａおよび２Ｂと同様に、点ＩＩＩによってマークした排卵日におけるさらなる濃度上昇を示している。
さらに、図２Ｃは、ポイントIVによってしるされている排卵前第１２日における早期転回またはピークを示している。この点ＩＶは、システムが受胎相の開始を示唆する転回と見なさない偽転回を示しており、それがヒト婦人の生殖サイクルにおいて余りに初期に起こったことが少なくとも理由である。偽転回点ＩＶは、ヒト婦人の平均生殖サイクルを推定し予想月経１９日前以前の期間を減算してこの期間前の全データを無視するシステムによって、初期段階で無視される。黄体期間が排卵から月経までおよそ１４日であるので、この１９日という期間が生じる。したがって、点ＩＶによって示したような偽ピーク類は、無視されるであろう。
【００３２】
図３（Ａ）および図３（Ｂ）は、はナトリウム（Ｎａ＋）イオンである１種のイオンに関しての比率測定値を示している。図３（Ａ）は、ナトリウム（Ｎａ＋）に対してのアンモニウム（ＮＨ４＋）の比率測定値を示しており、排卵前第２日の転回を示唆している。このことは、排卵前およそ第２日から３日に起こるアンモニウム（ＮＨ４＋）の上昇測定値に一致している。
図３（Ｂ）は、ナトリウム（Ｎａ＋）に対する塩素（Ｃｌ−）の比率測定値を示している。図３（Ｂ）からわかるように、このグラフは相対的に平坦で、そのことは、塩素（Ｃｌ−）がナトリウム（Ｎａ＋）の対イオンであることから予測されるであろう。したがって、ナトリウムに対する塩素（Ｃｌ−）の比率測定は、ヒト婦人における受胎相開始を知る際に余り役立たないであろう。
図３（Ｃ）は単に包括するために示しており、ナトリウム（Ｎａ＋）に対するナトリウム（Ｎａ＋）の比率を示しており、それは予測されるとおり１である。
図３（Ｄ）は、ナトリウム（Ｎａ＋）に対するカリウム（Ｋ＋）の比率を示しており、ナトリウム（Ｎａ＋）に対する塩素（Ｃｌ−）の比率を示す図３（Ｂ）と同様に、排卵後も大きな変化を示していない。このことは、たとえば図１Ａ乃至１Ｃにおいて示したように、ナトリウムやカリウムが生殖サイクルに同様の変化を示すことと一致している。
図３（Ｅ）は、ナトリウム（Ｎａ＋）に対するカルシウム（Ｃａ２＋）の比率測定を示している。この比率測定は、排卵２日前にナトリウム（Ｎａ＋）イオンに対するカルシウム（Ｃａ２＋）イオンの相対的濃度が低下することを示している。
図３（Ａ）乃至図３（Ｅ）から、アンモニウム（ＮＨ４＋）およびカルシウム（Ｃａ２＋）のナトリウム（Ｎａ＋）に対するイオンの比率測定値を用いて、転回を識別しかつ排卵をおよそ２日前に前もって予測できることが明らかである。比率測定値を用いることによって総エクリン汗中の変動を取り除き、それによって排卵をより正確に予測できるが、しかし、一般的には、排卵のおよそ２日前に過ぎない。
【００３３】
図３（Ｂ）乃至図３（Ｄ）は、ナトリウムに対する塩素（Ｃｌ−）およびカリウム（Ｋ＋）の比率測定値が、排卵予測には有用でないことを示している。このことは、塩素（Ｃｌ−）、ナトリウム（Ｎａ＋）およびカリウム（Ｋ＋）それぞれが、生殖サイクルにおいて図１Ａ乃至１Ｄおよび図２Ａ乃至２Ｃに示したように同様に変化することから、予測されるであろう。
図面には示していないが、硝酸（ＮＯ３−）のような他のイオン類に対する対応試験から、アンモニウム（ＮＨ４＋）に対して硝酸（ＮＯ３−）が同様に反応することが示された。したがって、ナトリウム（Ｎａ＋）に対するアンモニウム（ＮＨ４＋）の比率測定値を示した図３（Ａ）は、ナトリウム（Ｎａ＋）に対する硝酸（ＮＯ３−）の比率測定値と同様になるであろう。
図３（Ａ）（アンモニウム（ＮＨ４＋）用）と図３（Ｅ）（カルシウム（Ｃａ２＋）用）を比較すれば、これら２種イオン類の濃度が排卵前の関連期間において正反対の方向に動くことが明らかである。特に、ナトリウム（Ｎａ＋）に対してアンモニウム（ＮＨ４＋）は、排卵２日前にナトリウム（Ｎａ＋）に対してピークを有するようであるが、カルシウム（Ｃａ２＋）は、排卵２日前にナトリウムに対して最小を有するようである。
【００３４】
したがって、エクリン汗中イオン類濃度変化をより正確に識別するためにナトリウム（Ｎａ＋）または塩素（Ｃｌ−）のようなかなり安定なイオンに対してこれらイオン類（Ｃａ２＋またはＮＨ４＋）の１種の比率測定値をとるよりはむしろ、本発明はまた、アンモニウム（ＮＨ４＋）およびカルシウム（Ｃａ２＋）のように正反対方向に動く２種のイオン類の比率を取る能力を付与している。このことは、カルシウム（Ｃａ２＋）に対するアンモニウムの比率（ＮＨ４＋／Ｃａ２＋）測定である図４で示されている。図４は、点Ｉで示され排卵およそ３日前に起こる転回を示している。次に、この場合には排卵前比率測定値増加という明白な変化が、点ＩＩによって示した排卵２日前に起こる。したがって、アンモニウム（ＮＨ４＋）とカルシウム（Ｃａ２＋）の比率測定値を同様に用いて、前もって２日乃至３日前に排卵を予測することによって受胎相を識別できる。さらに、アンモニウム（ＮＨ４＋）およびカルシウム（Ｃａ２＋）のような正反対方向に動くイオン類の比率測定値を用いることで、５０％を超え約８０％である比率測定値の極めて顕著な変化が得られ、それによって転回Ｉをさらに示し、より正確な測定ができるようにする。
【００３５】
図５は、ナトリウム（Ｎａ＋）に対するアンモニウム（ＮＨ４＋）の比率測定値について図３（Ａ）に示したものと類似の図面を示している。しかし、図５はより正確であり、排卵約４日前に転回が起こることを示している。したがって、図５は、ある場合には、ナトリウム（Ｎａ＋）に対するアンモニウム（ＮＨ４＋）の比率測定値が排卵４日前にナトリウム（Ｎａ＋）に対するアンモニウム（ＮＨ４＋）の最小を有する転回とその後の排卵３日前における顕著な増加を示すことができると示唆している。このような場合、本発明は、ヒト婦人が排卵３日前に受胎相にあることおよび排卵２日前におけるピーク前に早期測定値を付与することを示唆するであろう。したがって、ナトリウム（Ｎａ＋）に対するアンモニウム（ＮＨ４＋）の比率測定値は、少なくとも２日前および１部の場合では排卵３日乃至４日前に排卵を予測できる。図５はまた、比率測定値類に対して、最大であろうが最小であろうが転回が起こり得、このことは、イオン類相対値が測定されつつありそれらがより大きな変動を結果としてもたらし得るので、転回が予測されるであろうということを示している。
【００３６】
図６は、カルシウム（Ｃａ２＋）に対するナトリウム（Ｎａ＋）の比率測定値を示している。図６は、図６がカルシウム（Ｃａ２＋）に対してナトリウム（Ｎａ＋）の比率を示していることを除いて図３（Ｅ）と類似しており、従って、図３（Ｅ）に示したグラフの逆数となっている。これは、図６がピークを示しているのに対して、図３（Ｅ）は、排卵２日前最小値を示していることからわかる。
【００３７】
別の方法において、２種のイオン電極とひとつの参考電極と用いて２種のイオン類の濃度を決定しその後それらの濃度比率を決定するよりもむしろ参考電極をなくして２種の検出電極間の電位差を単に測定することによって、前記決定を単純化することもできる。この場合、イオン濃度の相対的比率測定値変化は、前記２種センサーの電位差のみによって検出される。カルシウム（Ｃａ２＋）電極に対するナトリウム（Ｎａ＋）電極についての例を図７に示し、カルシウム（Ｃａ２＋）電極に対しての塩素（Ｃｌ−）電極については図８に示した。例によって説明すると、図７において汗中カルシウム（Ｃａ２＋）濃度がナトリウム（Ｎａ＋）に対して低下すると、カルシウム（Ｃａ２＋）電極はよりマイナスになり、従って、前記２種の電極間電位差が増大する。もしナトリウム（Ｎａ＋）濃度がカルシウム（Ｃａ２＋）に対して低下すると、電極電位は低下するであろう。
図７と８からわかるように、図５と６に示した比率測定値と一致するように、排卵およそ１日前にピークが曲線で見られる。この方法は、図５と６で用いた真の比率測定方法に比べてそれほど正確ではないが、その理由は、観察された変化が前記イオン類の濃度の相対的変化のみを示しているからである。同様に、ニ価イオンセンサー電位変化は、同一濃度変化について一価イオンのそれの半分に過ぎないであろう。しかし、問題のイオン類の比率測定変化が大きくかつ明らかである時、この方法は、センサー装置が少なくてすむというその簡易性の点で、特に参考電極がなくてすむという点で、有益である。
【００３８】
図９は、参考数値１００によって全体を示した本発明の好適な１態様による回路の略図を示しており、それは、１種または２種のイオン類を検出する。図９に示したように、センサー１００は、アンモニウム（ＮＨ４＋）電極１１０と第２の電極を含み、図９において、それは、カルシウム（Ｃａ２＋）または塩素（Ｃｌ−）電極１２０として示されている。したがって、図９に示したセンサー１００を用いて、カルシウム（Ｃａ２＋）または塩素（Ｃｌ−）のいずれかに対してのアンモニウム（ＮＨ４＋）濃度の相対的変化を検出でき、アウトプット１４０のアナログデジタル（Ａ／Ｄ）コンバータに対して出力し、これらの電極の電位差を反映することになる。
したがって、図９に示したセンサー１００のアウトプット１４０は、第２電極１２０がカルシウム（Ｃａ２＋）電極である時カルシウム（Ｃａ２＋）に対してのアンモニウム（ＮＨ４＋）比率測定値に対応する出力信号を含むことができた。したがって、センサー１００についての出力信号は図７または８に示したそれと類似しており、それが相対的イオン濃度の比率測定値であるので、装置には無関係である。同様に、図９に示したセンサー１００に対するアウトプット１４０は、第２電極１２０が塩素（Ｃｌ−）電極である時塩素（Ｃｌ−）に対しての相対的アンモニウム（ＮＨ４＋）比率測定値に対応する出力信号を含むことができた。
図９に同様に示したように、好適な１態様におけるセンサー１００は、稼動アンプリファイヤ１３０を含み、それはこの態様ではモデルＭＩＣ７１１１であり、第１電極１１０と第２電極間１２０の相対的電位を約１０倍増幅させる。この好適な態様におけるセンサー１００は、また、レジスター類Ｒ１，Ｒ２，Ｒ３，Ｒ５、Ｒ６と入力電圧Ｖｄｄを含み、センサー１００のために増幅と安定性を付与する。
出力電極１４０は、Ａ／Ｄコンバータ回路（示さず）に接続したままで図９に示されている。このＡ／Ｄコンバータ回路（示さず）は、別個の回路であることもできるが、あるいは参考数値４００によって図１１に示したようにプロセッサーの一部を形成することもできる。
【００３９】
第１電極１１０および第２電極１２０は、アンモニウム（ＮＨ４＋）、カルシウム（Ｃａ２＋）、塩素（Ｃｌ−）またはナトリウム（Ｎａ＋）、カリウム（Ｋ＋）および硝酸（ＮＯ３−）のような上記で述べた他のイオン類の全てを測定するためのいかなる公知の電極であってもよい。前記電極類１１０、１２０は、また、図１Ａ乃至１Ｃに関して述べたように伝導度（Ｃｏｎｄ．）検出のための伝導度センサーであることもできる。この場合、前記センサー１００は、当該技術で公知であるように電子電圧回路（示さず）を取り込んで、電極間の伝導度（Ｃｏｎｄ．）を検出するであろう。図１０Ａ乃至１０Ｃは、第１電極１１０および第２電極１２０のために使用できる電極類を示したものである。電極１２０は、また、もし前記回路を用いて１種イオン濃度のみを測定し第１電極１１０が適切なイオンセンサーであるならば、標準参考電極となるであろう。たとえば、図１Ａ乃至１Ｄおよび図２Ａ乃至２Ｃに示したようにナトリウム（Ｎａ＋）、塩素（Ｃｌ−）およびカリウム（Ｋ＋）イオン類の測定値が、それぞれナトリウム（Ｎａ＋）、塩素（Ｃｌ−）およびカリウム（Ｋ＋）を検出するための適切な電極である第１電極１１０と標準参考電極である第２電極１２０を有することによって、得られた。相対的濃度変化を測定する好適な態様において、第１電極１１０をアンモニウム（ＮＨ４＋）のような第１イオン濃度検出のために選択しかつ第２電極１２０をカルシウム（Ｃａ２＋）のような第２イオンの検出のために選択する。上記の異なるイオン類濃度を検出するため、異なる組み合わせの電極１１０、１２０も用いることができるであろう。これによって、両者の電極とも特定イオン濃度変化を測定するので参考電極の必要性がなくなり、その後、相対的比率を得ることができた。
【００４０】
図１０Ａは、参考数値２００によって全体を示した当該技術で公知のアンモニウムイオン選択的電極を示している。このアンモニウムイオン選択的電極２００は、０．０１Ｍ塩化アンモニウム溶液と電気的に接触している銀／塩化銀被覆ディスク電極２０２を含み、それは次に、アンモニウムイオノフォアメンブレン２１０と電気的に接触している。アンモニウムイオン選択的電極２００は、前記ディスク２０２に電気的に接続されたアウトプット３２５において出力電位を付与するであろう。この出力電位は、標準参考電極に対して電気的出力信号であろうが、それは、アンモニウムイオノフォアメンブレン２１０に接触しているエクリン汗中アンモニウム（ＮＨ４＋）濃度に対応している。
【００４１】
図１０Ｃは、カルシウムイオン選択的電極４００を示している。このカルシウムイオン選択的電極４００は、それが、銀／塩化銀被覆ディスク電極４０２、０．０１Ｍ塩化カルシウム溶液（ＣａＣｌ２）４２０およびカルシウムイオノフォアメンブレン４１０を有する点で、前記のアンモニウムイオン選択的電極２００と同様である。前記カルシウムイオン選択的電極４００は、エクリン汗中カルシウム（Ｃａ２＋）イオン濃度を検出でき、ディスク電極４０２に電気的に接続している標準参考電極に対してアウトプット３２５において出力電位を付与する。この出力電位は、エクリン汗中カルシウム（Ｃａ２＋）イオン濃度に対応する電気的出力信号であろう。
【００４２】
図１０Ｂは、参考数値３００によって全体を示した塩素イオン選択的電極を示している。この塩素イオン選択的電極３００は、前記のアンモニウムおよびカルシウムイオン選択的電極２００、４００と異なり、銀／塩化銀被覆ディスク電極３５０をただ一個有している。このディスク電極３５０は、標準参考電極に対して出力電位をもたらし、それは、アウトプット３２５に送られる。この出力電位は、エクリン汗中塩素（Ｃｌ−）イオン濃度に対応する電気的出力信号であろう。
【００４３】
図１０Ａ，１０Ｂおよび１０Ｃに示した電極類２００，３００および４００はまたそれぞれ、標準参考電極に対してのアンモニウム（ＮＨ４＋）、塩素（Ｃｌ−）またはカルシウム（Ｃａ２＋）のような単一イオン濃度変化を検出するために使用できる。たとえば、銀／塩化銀被覆ディスク電極３５０を用いて塩素（Ｃｌ−）イオン濃度を検出して、それを図２Ａ乃至２Ｃについて上記で述べたように受胎相を決定するために用いることができる。同様に、ナトリウム（Ｎａ＋）、硝酸（ＮＯ３−）およびカリウム（Ｋ＋）イオン濃度及び伝導度のようなエクリン汗の他の特性を検出する公知の電極類およびセンサー類も同様に使用できた。さらに、電極類２００、３００および４００ならびにナトリウム（Ｎａ＋）、硝酸（ＮＯ３−）およびカリウム（Ｋ＋）のようなエクリン汗の他の特性を検出する公知の電極類およびセンサー類も、第１電極１１０または第２電極１２０に接続して用いることができ、２種イオン類の相対的濃度変化を示す。上記で述べたように、本発明は、絶対濃度よりはむしろ濃度変化をモニタリングするので、２個の電極の相対的電位によってのようにして得られた測定値類も、十分に本発明を稼動させる。
【００４４】
図１１は、本発明のもうひとつの態様によるセンサーの略図であり、表示数値５００によって全体が示されている。
センサー５００は、モデルＭＩＣ７１１１であるアンプリファイヤ１３０とレジスター類Ｒ１，Ｒ２，Ｒ３，Ｒ５およびＲ６を含み回路を完成させる点で、センサー１００と同様である。しかし、図１１は、第１センサ電極５０１、第２センサ電極５０２および参考電極５０３の３個の電極を有する点で、異なっている。センサー電極５０１および５０２は、  図１０Ａ乃至１０Ｃに示したようなカルシウム（Ｃａ２＋）、塩素（Ｃｌ−）、アンモニウム（ＮＨ４＋）のようなエクリン汗中イオン濃度または別のイオンまたは伝導度を検出するためのいかなる他のイオン類をも検出する電極であれば、いかなるタイプのものであってもよい。同様に、参考５０３は標準参考電極であるか、またはこれとは別に、参考５０３は、エクリン汗中塩素（Ｃｌ−）、ナトリウム（Ｎａ＋）またはカリウム（Ｋ＋）のような参考イオンの濃度を示唆する電位を付与でき、図３Ａ乃至３Ｅ、４、５および６で上記に示したような比率測定値を付与できる。
センサー５００はまた、センサー電極５０１またはセンサー電極５０２の測定値を得る間スイッチを入れるマイクロコンピュータ５５０によって制御されているスイッチ５０４を含む。すなわち、マイクロプロセッサー５５０は、２種の別々の比率測定値、すなわち、標準５０３に対してのセンサー５０１の電位の第１比率測定値と標準５０３の電位に対してのセンサー５０１の電位の第２比率測定値を取ることができる。その後、マイクロプロセッサー５５０は、これらの別々の比率測定値を比較して、さらにより正確な比率測定値を付与する。
好適な態様において、センサー５０１は、図１０Ａに示した電極２００のようなアンモニウム（ＮＨ４＋）電極であり、センサー５０２は、図１０Ｃに示した電極４００のようなカルシウム（Ｃａ２＋）電極であり、参考電極５０３は、図１０Ｂに示した塩素（Ｃｌ−）電極３００である。このようにして、塩素（Ｃｌ−）のような標準イオンに対してのアンモニウム（ＮＨ４＋）比率測定値その後の同一参考イオンに対してのカルシウム（Ｃａ２＋）の比率測定値が得られ、これをマイクロプロセッサー５５０に対してトランスファーする。このマイクロプロセッサー５５０は、その後、塩素（Ｃｌ−）に対するアンモニウム（ＮＨ４＋）の比率測定値と塩素（Ｃｌ−）に対するカルシウム（Ｃａ２＋）の比率測定値を比較し、カルシウム（Ｃａ２＋）に対するアンモニウム（ＮＨ４＋）の比率測定値を示す。しかし、カルシウム（Ｃａ２＋）に対するこの最終的アンモニウム（ＮＨ４＋）比率測定値は元々塩素（Ｃｌ−）のような標準イオンに対して行われているので、エクリン汗容量や皮膚へのイオン類集積に関しての影響を取り除くことができる。したがって、センサー５００を用いてカルシウム（Ｃａ２＋）に対するアンモニウム（ＮＨ４＋）の相対的濃度のより正確な測定値を付与できる。塩素（Ｃｌ−）のほかに、ナトリウム（Ｎａ＋）およびカリウム（Ｋ＋）も同様に参考イオン類として用いることができる。
【００４５】
図１１に示したように、センサー５００は、出力ポート５５２ｂのひとつで制御されているスイッチ５０４を示している。第２の出力ポート５５２ａは、必要に応じてセンサー回路に電力を供給する。集積回路５６０は、アンプリファイヤ１３０から相対的電位信号を受け取り、この好適な態様において、アナログデジタルコンバータを含み、アンプリファイヤ１３０からのアナログ信号をデジタル信号に変換し、これをマイクロプロセッサー５５０が処理できる。当該技術で公知であるように、入力／出力ポート５５２ｃ、５５２ｄ、５５２ｅおよび５５２ｆは、クロック集積回路５６０に接続され、センサー５００の稼動を支援する。
【００４６】
マイクロプロセッサーユニット５５０はまた、一般的に、ある日に行われた種々の測定値を保存するために、メモリを含んでいる。このようにして、いくつかの読み取り値をもとにした１日平均が得られる。さらに、３０分または６０分間隔のように時間的間隔をマイクロプロセッサー５５０が数え、その結果読み取りが１日中行われ平均化される。好適には、前記読み取りは毎日同時に行われ、食事または活動による１日変化に起因するエクリン汗中イオン類濃度のいかなる変化も結果に悪影響を及ぼすことがないであろう。
好適な態様において、前記マイクロプロセッサーユニット５５０は、センサー１００、５００に対して少なくとも１日６回、前記イオン類の少なくとも１種の濃度を検出させるようにする。このようにして、前記プロセッサーは、１日あたり少なくとも６個、好適にはそれ以上の読み取り値を集積し、これらの６個の読み取り値を統計解析で使用し濃度の１日平均を示す。前記統計解析には、不自然と見なされる１個以上の読み取り値の排除および／または平均をより明確に決定するために前記読み取り値をガウス分布に当てはめることが含まれる。さらに詳細な態様において、１日の同時点で取った読み取り値に対して、１日のイオン類濃度に起因するであろう差異を考慮しそれを排除するために、より重きをおくであろう。
１日平均を、装置５００に入れたいかなる種類の公知保存装置にも保存できる。さらに進歩したシステムでは、前記読み取り値をワイヤレストランスミッションおよび／またはノンワイヤレストランスミッションによってのように遠隔地に伝達し、その後、中央演算またはモニタリング施設のような遠隔地で保存し解析する。
【００４７】
前記プロセッサー５５０はまた、好適には、参考数値５８０によって全体を示したなんらかのランダムアクセスメモリ（ＲＡＭ）を含み、それは、種々の情報特にこれまでの生殖サイクルの読み取り値およびまたは結果を保存できる。したがって、１日の読み取り値をＲＡＭ５８０に保存するかおよび／またはシリアルコネクションまたはワイヤレスコネクションを介してダウンロードし、遠隔地に配置したコンピュータまたはプロセッサー５５０によってさらに解析しおよび／または記録保存する。上記で述べたように、これまでの生殖サイクル結果もまた用いて、各婦人の生殖サイクルの期間を推定できる。これによって、生殖サイクル開始時期を推定でき、それによって、例えば図２Ｃについて上記で述べたように、先の不自然な読み取り値をプロセッサー５５０が除外または排除できるようにする。
【００４８】
図１２は、本発明の１態様による装置７００を示した図面である。図１２に示したように、前記装置は、特に、婦人の受胎状況を示すためのディスプレイ７１０を含む。最初、ディスプレイ７１０は婦人が受胎できないことを示すであろう。婦人が受胎相にあるとの決定がいったんなされると、ディスプレイ７１０は婦人が受胎できることを示し、その後、再度、排卵１日後には婦人が受胎できないことを示す。適宜、ディスプレイ７１０は、婦人が排卵していると装置７００が決定したことを示唆する“Ｏｖ”を表示することもできる。
【００４９】
また図１２に示したように、装置７００は、装置７００を使用者皮膚表面に長時間ヒモでくくりつけられるように、ストラップ７２０を含む。これによって、昼間および／または夜間も数時間もの長時間、読み取り値を得ることができ、使用者の動きに悪い影響を及ぼすことはない。好適な態様においてさらに、前記装置７００は、装置７００が普通の腕時計のように見えるように、長時間時間を表示できる時計を含む。また、上記に述べたように装置７００は長期間、使用者皮膚表面に装着されかつ時計を含むので、装置７００は自動的かつ３０乃至６０分おきにまたは他の時間間隔で１日中何回も読み取りを行うことができ、読み取りを行っていると使用者に気づかせることはない。
さらに好適な態様において、前記装置７００は、プラスチック材料から製造されており、ディスプレイ７１０の反対側に平坦なプラスチック表面を有しており、使用者皮膚に装着した時でも発汗を促進する。さらに好適な態様において、前記装置７００は、センサー１００、５００の位置近くの位置におけるエクリン汗をプールするために、あるエリアのまわりにフランジを含む。これによって、センサー１００、５００の近くで発汗とエクリン汗の集積が促進され、その結果、より正確な読み取り値を得ることができる。
【００５０】
イオノフォアおよびソリッドステートセンサー類の両者ならびに他のセンサータイプ類もエクリン汗中イオン類濃度の決定に用いることができることがわかる。好適な態様において、特に塩素（Ｃｌ−）類を検出する際ソリッドステートセンサー類が非常に安定であるとわかった。
【産業上の利用可能性】
【００５１】
本発明を、ヒト婦人とも称してきた婦人の使用に対して述べてきた。しかし、本発明は、ヒト婦人による使用に限定されない。むしろ、本発明は、エクリン汗を排出する他の哺乳類にも適用性を有しており、獣医学分野でも使用できる。さらに、本発明は、ブタ、ウマおよびウシについても有用であることがわかった。しかし、時間的間隔とインディケータ類のいくつかを他の哺乳類で変更できることを理解されたい。
本発明のさまざまな面を本発明の１態様または別の態様で説明してきたが、本発明のこうしたさまざまな面や態様類は、本文で説明し例示してきた本発明の他の面や態様と組み合わせまたはそれらとともに使用できる。
本開示を説明し本発明のある好適な態様類を例示してきたが、本発明がこれらの特定態様類に限定されないことを理解されたい。むしろ、本発明は、本文で説明しかつ例示した具体的態様類および特性と機能的、電気的または機械的に等価である全ての態様類を含む。
【図面の簡単な説明】
【００５２】
【図１Ａ】図１Ａは、エクリン汗におけるカリウム（Ｋ＋）およびナトリウム（Ｎａ＋）イオン濃度の変化およびヒト婦人における１生殖サイクル中の汗伝導度変化を例示している図面である。
【図１Ｂ】図１Ｂは、エクリン汗におけるカリウム（Ｋ＋）およびナトリウム（Ｎａ＋）イオン濃度の変化およびヒト婦人における１生殖サイクル中の汗伝導度変化を例示している図面である。
【図１Ｃ】図Ｃは、エクリン汗におけるカリウム（Ｋ＋）およびナトリウム（Ｎａ＋）イオン濃度の変化およびヒト婦人における１生殖サイクル中の汗伝導度変化を例示している図面である。
【図１Ｄ】図１Ｄは、エクリン汗中カリウム（Ｋ＋）イオン濃度変化を例示する図面である。
【図２Ａ】図２Ａは、ヒト婦人における１生殖サイクル中エクリン汗における塩素（Ｃｌ−）イオン類濃度を例示している図面である。
【図２Ｂ】図２Ｂは、ヒト婦人における１生殖サイクル中エクリン汗における塩素（Ｃｌ−）イオン類濃度を例示している図面である。
【図２Ｃ】図２Ｃは、ヒト婦人における１生殖サイクル中エクリン汗における塩素（Ｃｌ−）イオン類濃度を例示している図面である。
【図３】図３は、ヒト婦人の１生殖サイクル中におけるナトリウム（Ｎａ＋）に対するアンモニウム（ＮＨ４＋）、塩素（Ｃｌ−）、ナトリウム（Ｎａ＋）、カリウム（Ｋ＋）およびカルシウム（Ｃａ２＋）の比率測定値を示す図面である。
【図４】図４は、ヒト婦人の１生殖サイクル中におけるカルシウム（Ｃａ２＋）に対するアンモニウム（ＮＨ４＋）の比率測定値を示す図面である。
【図５】図５は、ヒト婦人の１生殖サイクル中におけるナトリウム（Ｎａ＋）に対するアンモニウム（ＮＨ４＋）の比率測定値を示す図面である。
【図６】図６は、ヒト婦人における１生殖サイクル中におけるカルシウム（Ｃａ２＋）に対するナトリウム（Ｎａ＋）比率測定値を示す図面である。
【図７】図７は、ヒト婦人における１生殖サイクル中におけるカルシウム（Ｃａ２＋）に対するナトリウム（Ｎａ＋）電位差として表した相対的比率測定値を示す図面である。
【図８】図８は、ヒト婦人における１生殖サイクル中におけるカルシウム（Ｃａ２＋）に対する塩素（Ｃｌ−）電位差として表した相対的比率測定値を示す図面である。
【図９】図９は、本発明の１態様による２種のイオン類を検出するためのセンサーを有する装置について回路を示した概略図である。
【図１０Ａ】図１０Ａは、アンモニウム（ＮＨ４＋）、塩素（Ｃｌ−）およびカルシウム（Ｃａ２＋）をそれぞれ検出する電極類を図示している。
【図１０Ｂ】図１０Ｂは、アンモニウム（ＮＨ４＋）、塩素（Ｃｌ−）およびカルシウム（Ｃａ２＋）をそれぞれ検出する電極類を図示している。
【図１０Ｃ】図１０Ｃは、アンモニウム（ＮＨ４＋）、塩素（Ｃｌ−）およびカルシウム（Ｃａ２＋）をそれぞれ検出する電極類を図示している。
【図１１】図１１は、本発明の１態様による参考について、２種のイオン類を検出するためのセンサーを有する装置の回路を示す概略図面である。
【図１２】図１２は、手首にバンドで止めることができかつエクリン汗のイオン類濃度測定を行う本発明の１態様によるマイクロプロセッサーとともに使用できる装置の拡大図である。
【図１Ａ】
2004535894.tif 000003
【図１Ｂ】
2004535894.tif 000004
【図１Ｃ】
2004535894.tif 000005
【図１Ｄ】
2004535894.tif 000006
【図２Ａ】
2004535894.tif 000007
【図２Ｂ】
2004535894.tif 000008
【図２Ｃ】
2004535894.tif 000009
【図３】
2004535894.tif 000010
【図４】
2004535894.tif 000011
【図５】
2004535894.tif 000012
【図６】
2004535894.tif 000013
【図７】
2004535894.tif 000014
【図８】
2004535894.tif 000015
【図９】
2004535894.tif 000016
【図１０Ａ】
2004535894.tif 000017
【図１０Ｂ】
2004535894.tif 000018
【図１０Ｃ】
2004535894.tif 000019
【図１１】
2004535894.tif 000020
【図１２】
2004535894.tif 000021
【国際公開パンフレット】
2004535894.tif 000022
2004535894.tif 000023
2004535894.tif 000024
2004535894.tif 000025
2004535894.tif 000026
2004535894.tif 000027
2004535894.tif 000028
2004535894.tif 000029
2004535894.tif 000030
2004535894.tif 000031
2004535894.tif 000032
2004535894.tif 000033
2004535894.tif 000034
2004535894.tif 000035
2004535894.tif 000036
2004535894.tif 000037
2004535894.tif 000038
2004535894.tif 000039
2004535894.tif 000040
2004535894.tif 000041
2004535894.tif 000042
2004535894.tif 000043
2004535894.tif 000044
2004535894.tif 000045
2004535894.tif 000046
2004535894.tif 000047
2004535894.tif 000048
2004535894.tif 000049
2004535894.tif 000050
2004535894.tif 000051
2004535894.tif 000052
2004535894.tif 000053
2004535894.tif 000054
2004535894.tif 000055
2004535894.tif 000056
2004535894.tif 000057
2004535894.tif 000058
2004535894.tif 000059
2004535894.tif 000060
2004535894.tif 000061
2004535894.tif 000062
2004535894.tif 000063
2004535894.tif 000064
2004535894.tif 000065
2004535894.tif 000066
2004535894.tif 000067
2004535894.tif 000068
2004535894.tif 000069
2004535894.tif 000070
2004535894.tif 000071
2004535894.tif 000072
2004535894.tif 000073
2004535894.tif 000074
2004535894.tif 000075
2004535894.tif 000076
2004535894.tif 000077
2004535894.tif 000078
2004535894.tif 000079
2004535894.tif 000080
2004535894.tif 000081
2004535894.tif 000082
2004535894.tif 000083
2004535894.tif 000084
2004535894.tif 000085
2004535894.tif 000086
2004535894.tif 000087
2004535894.tif 000088
2004535894.tif 000089
【国際調査報告】
2004535894.tif 000090
2004535894.tif 000091
2004535894.tif 000092
2004535894.tif 000093
2004535894.tif 000094